(57)【要約】【課題】電池をケースの定位置に簡単に挿入する。ケースに入れた電池に簡単かつ容易に、しかも正確な位置にリード板を接続する。【解決手段】パック電池は、複数の電池１を、端面を同一の面に位置させる平行な姿勢でケース２に並べて収納し、凸部電極１ａと平面電極１ｂにリード板３を接続している。ケース２は、複数の保持筒６を互いに隣接して設けており、保持筒６の両端に、凸部電極１ａと平面電極１ｂを外部に表出させる開口部８を設けている。さらにケース２は、保持筒６の開口部８の周縁に沿って、電池１の平面電極１ｂの突出位置を特定すると共に、リード板３を定位置に配置するストッパリブ９を設けている。パック電池は、ストッパリブ９で電池１の電極の突出位置を特定して、凸部電極１ａと平面電極１ｂを同一面に配置し、リード板３をストッパリブ９の内側に位置させてケース２の定位置に配置して、電池１に接続している。【選択図】図３
2006100148.tif 000002
【特許請求の範囲】
【請求項１】
一方の端部を凸部電極(1a)として他の端部を平面電極(1b)とする複数の電池(1)が端面を同一の面に位置させる平行な姿勢でケース(2)に並べて収納され、ケース(2)に収納している電池(1)の凸部電極(1a)と平面電極(1b)には、リード板(3)を接続してリード板(3)で複数の電池(1)を連結しているパック電池であって、
ケース(2)はプラスチックを成形して製作されたもので、内部に収納している電池(1)を挿入して定位置に配置する複数の保持筒(6)を互いに隣接して設けており、
さらに、ケース(2)は、保持筒(6)の両端に、凸部電極(1a)と平面電極(1b)を外部に表出させる開口部(8)を設けており、
さらにまた、ケース(2)は、保持筒(6)の開口部(8)の周縁に沿って、電池(1)の平面電極(1b)の突出位置を特定すると共に、リード板(3)を定位置に配置するストッパリブ(9)を一体的に成形して設けており、
このストッパリブ(9)に平面電極(1b)を当接させて、電池(1)の平面電極(1b)側の突出位置を特定しており、電池(1)の凸部電極(1a)側の突出位置は保持筒(6)の開口部(8)の周縁又はストッパリブ(9)で特定して、電池(1)の凸部電極(1a)と平面電極(1b)を同一面に配置しており、
リード板(3)は、ストッパリブ(9)の内側に配置される外形であって、リード板(3)をストッパリブ(9)の内側に位置させてケース(2)の定位置に配置しており、このリード板(3)を電池(1)の凸部電極(1a)と平面電極(1b)に接続してなるパック電池。
【請求項２】
ストッパリブ(9)を電位差のある電池(1)間に配設している請求項１に記載されるパック電池。
【請求項３】
ケース(2)が、電池(1)の片方を挿入する第１のケース(2A)と、電池(1)の他方を挿入する第２のケース(2B)を備え、第１のケース(2A)と第２のケース(2B)はプラスチック製で、電池(1)の一部を挿入して定位置に配置する保持筒(6)の一部を一体的に成形して設けており、第１のケース(2A)と第２のケース(2B)を連結して、保持筒(6)の内部に電池(1)を収納している請求項１に記載されるパック電池。
【請求項４】
第１のケース(2A)と第２のケース(2B)の連結部であって、電位差のある電池(1)を収納する保持筒(6)の境界に沿って一方のケース(2)の保持筒連結縁(13)に連結溝(14)を、他方のケース(2)の保持筒連結縁(13)には連結溝(14)に案内される連結凸条(15)を設けており、連結溝(14)に連結凸条(15)を入れて、第１のケース(2A)と第２のケース(2B)を連結している請求項３に記載されるパック電池。
【請求項５】
複数の電池(1)を２段に積層して配置すると共に、上段に積層する電池(1)を下段の電池(1)の谷間に配設している請求項１に記載されるパック電池。
【請求項６】
多段に積層して配置している電池(1)の上面に回路基板(4)を配設しており、この回路基板(4)にリード板(3)を接続している請求項１に記載されるパック電池。
【請求項７】
ケース(2)が保持筒(6)に貫通孔(16)を設けて、この貫通孔(16)に位置するように保持筒(6)の表面に粘着テープを接着しており、粘着テープを保持筒(6)の表面と電池(1)の表面に接着している請求項１に記載されるパック電池。
【発明の詳細な説明】
【技術分野】
【０００１】
本発明は、複数の電池を直列や並列に接続しているパック電池に関する。
【背景技術】
【０００２】
電動工具や自転車の電源に使用されるパック電池は、多数の電池を並列と直列に接続して、充電容量と出力電圧を大きくしている。この種の電池は、電池の電極にリード板をスポット溶接してケースに収納している。電池はケース内の定位置に配置する必要がある。とくに、振動の激しい電動工具や自転車に使用されるパック電池は、電池を定位置にしっかりと内蔵させる必要がある。このことを実現するために、ケースに電池の一部を挿入する保持筒を一体的に成形して設けたパック電池が開発されている（特許文献１参照）。
【特許文献１】特開２００２−１５１０２７号公報
【発明の開示】
【発明が解決しようとする課題】
【０００３】
以上の公報に記載されるパック電池は、図１に示すように、ケース３２の内面に電池３１の一部を挿入する保持筒３６を一体的に成形して設けている。このパック電池は、電極にリード板３３を溶接して連結している電池３１を保持筒３６挿入して定位置に配置する。この構造のパック電池は、電池３１をケース３２内に収納するのに便利ではあるが、電池３１にリード板３３を溶接して連結するのに手間がかかる。とくに、リード板を電池の電極の決められた位置に正確に連結するためには、専用のジグを使用して電池とリード板を定位置に配置する必要がある。このため、電池とリード板を特定の位置に位置がずれないようにセットして溶接する必要があり、リード板の正確な位置への連結にも手間がかかる。さらにまた、リード板で連結した複数の電池を一緒にしてケースに収納するので、電池をケースに入れるのにも手間がかかる欠点があった。
【０００４】
本発明は、このような欠点を解決することを目的に開発されたものである。本発明の重要な目的は、電池をケースの定位置に簡単に挿入でき、さらに、ケースに入れた電池には簡単かつ容易に、しかも位置ずれしないように正確な位置にリード板を接続して、能率よく安価に組み立てできるパック電池を提供することにある。
【課題を解決するための手段】
【０００５】
本発明のパック電池は、一方の端部を凸部電極１ａとして他の端部を平面電極１ｂとする複数の電池１を、端面を同一の面に位置させる平行な姿勢でケース２に並べて収納しており、ケース２に収納している電池１の凸部電極１ａと平面電極１ｂにはリード板３を接続して、リード板３で複数の電池１を連結している。ケース２は、プラスチックを成形して製作されたもので、内部に収納している電池１を挿入して定位置に配置する複数の保持筒６を互いに隣接して設けている。さらに、ケース２は、保持筒６の両端に、凸部電極１ａと平面電極１ｂを外部に表出させる開口部８を設けている。さらにまた、ケース２は、保持筒６の開口部８の周縁に沿って、電池１の平面電極１ｂの突出位置を特定すると共に、リード板３を定位置に配置するストッパリブ９を一体的に成形して設けている。ケース２は、このストッパリブ９に平面電極１ｂを当接させて、電池１の平面電極１ｂ側の突出位置を特定し、保持筒６の開口部８の周縁又はストッパリブ９で電池１の凸部電極１ａ側の突出位置を特定して、電池１の凸部電極１ａと平面電極１ｂを同一面に配置している。リード板３は、ストッパリブ９の内側に配置される外形である。パック電池は、リード板３をストッパリブ９の内側に位置させてケース２の定位置に配置しており、このリード板３を電池１の凸部電極１ａと平面電極１ｂに接続している。
【０００６】
本発明のパック電池は、ストッパリブ９を電位差のある電池１間に配設することができる。
【０００７】
本発明のパック電池は、ケース２が、電池１の片方を挿入する第１のケース２Ａと、電池１の他方を挿入する第２のケース２Ｂを備えることができる。このパック電池は、第１のケース２Ａと第２のケース２Ｂをプラスチック製として、電池１の一部を挿入して定位置に配置する保持筒６の一部を一体的に成形して設けて、第１のケース２Ａと第２のケース２Ｂを連結して、保持筒６の内部に電池１を収納することができる。
【０００８】
本発明のパック電池は、第１のケース２Ａと第２のケース２Ｂの連結部であって、電位差のある電池１を収納する保持筒６の境界に沿って、一方のケース２の保持筒連結縁１３に連結溝１４を、他方のケース２の保持筒連結縁１３には連結溝１４に案内される連結凸条１５を設けることができる。このパック電池は、連結溝１４に連結凸条１５を入れて、第１のケース２Ａと第２のケース２Ｂを連結することができる。
【０００９】
本発明のパック電池は、複数の電池１を２段に積層して配置すると共に、上段に積層する電池１を下段の電池１の谷間に配設することができる。
【００１０】
本発明のパック電池は、多段に積層して配置している電池１の上面に回路基板４を配設して、この回路基板４にリード板３を接続することができる。
【００１１】
本発明のパック電池は、ケース２が保持筒６に貫通孔１６を設けると共に、この貫通孔１６に位置するように保持筒６の表面に粘着テープを接着して、粘着テープを保持筒６の表面と電池１の表面に接着することができる。
【発明の効果】
【００１２】
本発明のパック電池は、電池をケースの定位置に簡単に挿入でき、さらに、ケースに入れた電池に簡単かつ容易に、しかも位置ずれしないように正確な位置にリード板を接続できる特長がある。それは、本発明のパック電池が、複数の保持筒を互いに隣接して設けて電池を収納するケースとすると共に、ケースの保持筒の開口部の周縁に沿ってストッパリブを一体的に成形して設けており、このストッパリブに電池の電極を当接させて電池電極の突出位置を特定すると共に、リード板をストッパリブの内側に位置させてケースの定位置に配置しているからである。この構造のパック電池は、ケースの保持筒に挿入する電池の電極を開口部周縁のストッパリブに当接させて位置決めするので、電池電極を開口部から表出させる状態としながら、極めて簡単に電池をケースの定位置に配置できる。さらに、パック電池は、リード板をストッパリブの内側に配置できる外形として、リード板をストッパリブの内側に位置決めしながらケースの定位置に配置するので、ケースの定位置に配置された電池に、簡単かつ容易に、しかも正確な位置にリード板を接続できる。
【００１３】
また、本発明のパック電池は、従来のように、別工程で電池の正確な位置にリード板を接続した後、リード板を接続した電池をケースの定位置に収納するのではなく、電池とリード板とをケースの定位置に配置した状態でリード板を電池に接続できるので、能率よく安価に組み立てできる特長がある。
【００１４】
さらに、本発明の請求項２のパック電池は、ストッパリブを電位差のある電池間に配設するので、このストッパリブを電位差のあるリード板間の絶縁材に併用して、電位差のあるリード板同士が互いに接触してショートするのを有効に防止できる特長がある。
【００１５】
さらに、本発明の請求項３のパック電池は、ケースを、電池の片方を挿入する第１のケースと、電池の他方を挿入する第２のケースで構成し、第１のケースと第２のケースを連結して保持筒の内部に電池を収納するので、電池の両端の電極を開口部周縁のストッパリブで位置決めしながらケースの定位置に配置できる特長がある。さらに、このパック電池は、第１のケースと第２のケースを連結する状態で、収納される電池の両端にストッパリブを当接できるので、電池がケースの開口部から抜け出るのを防止しながら定位置に収納できる。
【００１６】
さらに、本発明の請求項４のパック電池は、第１のケースと第２のケースの連結部であって、電位差のある電池を収納する保持筒の境界に沿って、一方のケースの保持筒連結縁に連結溝を、他方のケースの保持筒連結縁に連結凸条を設けているので、ケース内に水が浸入したり電池から電解液が漏れたりしても、連結溝と連結凸条とで電位差のある電池間を隔離して、マイグレーションの発生を効果的に極減できる特長がある。また、連結溝と連結凸条を介して第１のケースと第２のケースを連結するので、第１のケースと第２のケースとを正確に位置決めしながら連結できる特長もある。
【００１７】
本発明の請求項５のパック電池は、複数の電池を２段に積層すると共に、上段に積層する電池を下段の電池の谷間に配設するので、多数の電池を省スペースに効率よく配置できる特長がある。
【００１８】
本発明の請求項７のパック電池は、ケースの保持筒に貫通孔を設けると共に、この貫通孔に位置して保持筒の表面に粘着テープを接着して、粘着テープを保持筒の表面と電池の表面とに接着するので、保持筒に収納された電池が動くのを有効に防止できる特長がある。
【発明を実施するための最良の形態】
【００１９】
以下、本発明の実施例を図面に基づいて説明する。ただし、以下に示す実施例は、本発明の技術思想を具体化するためのパック電池を例示するものであって、本発明はパック電池を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２ないし図１０に示すパック電池は、充電できる複数の電池１と、この電池１を収納しているプラスチック製のケース２と、ケース２に収納している電池１を並列と直列に接続しているリード板３と、リード板３を接続して各々の電池電圧を検出しながら電池１の充放電をコントロールする回路を実装する回路基板４と、この回路基板４を入れている基板ホルダ５とを備える。パック電池は、図１に示す電池組立１０をさらに外ケース（図示せず）に入れて完成される。
【００２２】
電池１は、一方の端部を凸部電極１ａとして他の端部を平面電極１ｂとする円筒型電池である。図のパック電池は、複数の電池１を円筒型のリチウムイオン二次電池とする。ただし本発明のパック電池は、電池を充電できる全ての二次電池、たとえばニッケル水素電池やニッケルカドミウム電池とすることもできる。また、電池は、円筒型電池に代わって角型電池も使用できる。
【００２３】
図のパック電池は、上下に配置される電池１の向きを等しくして、上下に隣接する電池端部の極性を同じ極性とし、左右に配置される電池１の向きを逆向きとして、左右に隣接する電池端部の極性を異なる極性としている。すなわち、パック電池は、上下に隣接する電池端部では、凸部電極１ａ同士、あるいは平面電極１ｂ同士が位置すると共に、左右に隣接する電池端部には、凸部電極１ａと平面電極１ｂとが交互に位置するように配列している。
【００２４】
図のパック電池は、１０個の電池１をリード板３で直列に接続して、直列に接続している１０個の電池１を上下２段に配置して、上下の電池１を互いに並列に接続している。上下に各々１０個の電池１を平面状に並べて、全体で２０個の電池１を、１０個直列、２個並列に接続している。ただ、本発明のパック電池は電池の個数を２０個に特定しない。電池は、２０個以下とすることも、また２０個以上とすることもできる。また、電池を１段に配置し、あるいは３段以上に配置することもできる。さらにまた、１段に配置する電池の個数を１０以下または１０以上とすることもできる。
【００２５】
ケース２は、各々の電池１を独立して収納する複数の保持筒６をプラスチックで一体的に成形して設けている。保持筒６は、内部に電池１を挿入して定位置に配置する。複数の保持筒６は互いに隣接して平行に設けられて、ここに収納する全ての電池１を、端面が同一の面に位置するように、互いに平行な姿勢として収納する。保持筒６は、内形を電池１の外形にほぼ等しく、正確には外形よりもわずかに大きくしている。この保持筒６は、内部に電池１を挿通して定位置に配置する。図のパック電池は、円筒型電池を保持筒６に収納するので、保持筒６を円筒状としている。
【００２６】
図のケース２の保持筒６は、隣接する電池１の境界に、電池間を区画して絶縁する境界壁７を設けている。この形状のケース２は、隣の電池１を境界壁７で絶縁するので、金属板からなる外装缶の表面をプラスチックフィルム等の絶縁材で被覆しない電池を保持筒６に入れて、外装缶を保持筒６で絶縁してケース２に収納できる。保持筒は、必ずしも電池の間を区画して絶縁する境界壁を設ける必要はない。境界壁のないケースは、外装缶の表面を絶縁材で被覆した電池を保持筒に収納する。
【００２７】
ケース２は、保持筒６の両端に、凸部電極１ａと平面電極１ｂを外部に表出させる開口部８を設けている。電池１を保持筒６に収納して、凸部電極１ａと平面電極１ｂを外部に表出させてリード板３を連結するためである。図のケース２は、保持筒６の開口部８の周縁に沿ってストッパリブ９を一体的に成形して設けている。ストッパリブ９は、電池１の凸部電極１ａと平面電極１ｂを開口部８の定位置に配置する。ストッパリブ９は、保持筒６の厚さよりも幅広に成形されて、開口部８の内側に突出している。ストッパリブ９の内側に突出する部分は、電池１の端部に当たって、凸部電極１ａや平面電極１ｂの位置を特定する。電池１の平面電極１ｂ側は、平面電極１ｂをストッパリブ９の突出部に当接して、保持筒６の定位置に配置される。凸部電極１ａ側は、電池端部の外周をストッパリブ９の突出部に当接させて、凸部電極１ａを保持筒６の定位置に配置する。このストッパリブ９は、平面電極１ｂと凸部電極１ａの両方をケース２の定位置に配置する。ただし、本発明のパック電池は、電池１の凸部電極１ａ側の突出位置を必ずしもストッパリブ９で特定する必要はない。たとえば、保持筒の開口部周縁に、凸部電極を貫通させる貫通孔を設けた蓋部（図示せず）を一体的に成形して設け、この蓋部を電池の端面であって、凸部電極の外側面を当接させて、電池の凸部電極の位置を特定することができるからである。また、電池の凸部電極側は、保持筒の内面に突出部（図示せず）を設け、この突出部で凸部電極側の外周縁を係止して、凸部電極をケースの定位置に配置することもできる。
【００２８】
凸部電極１ａと平面電極１ｂ、正確には凸部電極１ａの頂上面と平面電極１ｂは、同一面に配置されて、平面状のリード板３に接続される。パック電池は、ストッパリブ９に平面電極１ｂを当接させて、電池１の平面電極１ｂ側の突出位置を特定し、電池１の凸部電極１ａ側の突出位置は、ストッパリブ９や保持筒の開口部に設けた蓋部や突出部で特定して、凸部電極１ａと平面電極１ｂを同一面に配置する。同一面に位置する凸部電極１ａと平面電極１ｂは、リード板３をスポット溶接やレーザー溶接等の方法で、溶接して接続する。
【００２９】
ストッパリブ９は、電池１の突出位置を特定すると共に、リード板３を定位置に配置する。このため、ストッパリブ９は、隣接して配置されるリード板３の境界に位置し、かつ、リード板３の外周に沿う形状としている。いいかえると、リード板３はストッパリブ９の内側に沿う形状としている。ストッパリブ９は、電位差のある電池１の境界に沿って設けられる。図のケース２は、上段の電池１の境界から下段の電池１の境界まで伸び、さらに下段の電池１の境界からは両側の電池１の下縁に分岐して伸びる形状のストッパリブ９を設けている。
【００３０】
図７と図８に示すケース２は、中央でふたつに分割されて、電池１の片方の挿入する第１のケース２Ａと、電池１の他方を挿入する第２のケース２Ｂを備える。第１のケース２Ａと第２のケース２Ｂはプラスチック製で、電池１の一部を挿入して定位置に配置する保持筒６の一部を一体的に成形して設けている。第１のケース２Ａと第２のケース２Ｂが連結されて、保持筒６の内部に電池１が収納される。第１のケース２Ａと第２のケース２Ｂは、開口部８にストッパリブ９を設けて、電池１が開口部８から出ないように保持筒６の内部に収納している。
【００３１】
第１のケース２Ａと第２のケース２Ｂは、互いに連結する保持筒６の開口端縁を同じ形状としている。図７と図８に示すケース２は、第１のケース２Ａと第２のケース２Ｂを連結するために、第１のケース２Ａに連結フック１１を一体的に成形して設けており、第２のケース２Ｂには、連結フック１１を連結する連結部１２を設けている。連結フック１１は、保持筒６の開口端縁から第２のケース２Ｂの表面に突出している。連結部１２は、連結フック１１を抜けないように連結する連結穴である。図に示す第２のケース２Ｂは、保持筒６の谷間にロッドを連結して、連結穴の連結部１２を設けている。このケース２は、第１のケース２Ａの連結フック１１を第２のケース２Ｂの連結部１２である穴に入れて、互いに連結される。連結フック１１と連結穴は、第１のケース２Ａと第２のケース２Ｂを複数のカ所で連結するために、複数設けている。図のケース２は、両端の２カ所と、上面と下面の各々２カ所ずつに連結フック１１と連結部１２を設けている。このケース２は、連結フック１１を連結部１２に入れて簡単に連結できる。
【００３２】
図のパック電池は、図において上下に配置している電池１を並列に接続して、横に配置する電池１を直列に接続している。したがって、上下に配置される電池１は同じ電位となるが、左右に配置される電池１は電位差がある。電位差のある電池１を有効に絶縁するために、電位差のある電池１を収納する保持筒６の境界に沿って、一方のケース２には、図１１に示すように保持筒連結縁１３に連結溝１４を、他方のケース２には、図１２に示すように、保持筒連結縁１３に連結溝１４に案内される連結凸条１５を設けている。このケース２は、連結溝１４に連結凸条１５を入れて、第１のケース２Ａと第２のケース２Ｂを連結する。この構造のケース２は、連結溝１４に連結凸条１５を入れる構造で、電位差のある電池１をより効果的に絶縁して隣の保持筒６に収納できる。
【００３３】
さらに、図に示すケース２は、保持筒６に貫通孔１６を設けている。図のケース２は、第１のケース２Ａの各々の保持筒６に貫通孔１６を開口している。貫通孔１６に位置するように保持筒６の表面には粘着テープ（図示せず）を接着している。粘着テープは、保持筒６の表面に接着され、さらに貫通孔１６から保持筒６に収納している電池１の表面に接着されて、保持筒６の内部で電池１が回転するのを阻止できる。このパック電池は、電池１を保持筒６の内部に回転しないように収納するので、振動等の衝撃を受けるときに、電池１が回転してリード板３が破損し、あいるは外れることがない。このため、耐衝撃強度を向上できる。図のケース２は、第１のケース２Ａにのみ貫通孔１６を設けているが、第２のケースにも貫通孔を設けることができる。すなわち、ふたつのケース２を連結する構造にあっては、いずれか一方のケース２に貫通孔１６を設け、あるいは両方のケースに貫通孔を設けることができる。
【００３４】
リード板３は、ニッケル板、あるいは鉄の表面をニッケル等のメッキをした金属板である。リード板３は、ストッパリブ９でケース２の定位置に配置される。図のパック電池は、出力端子となるリード板３’以外は、４本の電池１に接続される。ひとつのリード板３には、ふたつの凸部電極１ａとふたつの平面電極１ｂが接続されて、２本の電池１を並列に接続し、並列に接続している２本の電池１を直列に接続する。リード板３は、ケース２に一体的に成形して設けているストッパリブ９の間に配置される外形としている。図のリード板３は、接続する電池１を収納している保持筒６の開口縁に沿う形状としている。図のパック電池は、１枚のリード板３で４本の電池１を接続するので、リード板３は、上下左右に位置する４つの保持筒６の開口部８に沿う形状としている。４本の保持筒６の境界にストッパリブ９を設けている。リード板３は、ストッパリブ９の内側に沿う形状であり、かつストッパリブ９のない部分は保持筒６の開口縁に沿う形状としている。
【００３５】
リード板３は、凸部電極１ａと平面電極１ｂに溶接して接続する部分にＵ字スリット１７を設けている。さらに、Ｕ字スリット１７の内側に直線スリット１８を設けている。このリード板３は、直線スリット１８の両側を電池１の電極に確実にスポット溶接できる。直線スリット１８とＵ字スリット１７が、スポット溶接の無効電流を少なくするからである。
【００３６】
さらに、図のリード板３は、回路基板４に接続する接続リード１９を回路基板４の方向に突出して設けている。この回路構成のパック電池は、リード板３の接続リード１９を回路基板４に接続して、回路基板４に実装する電圧検出回路で各々の電池電圧を検出しながら充放電をコントロールできる。電圧検出回路は、いずれかの電池電圧が最低電圧まで低下するとパック電池の放電電流を遮断する。また、いずれかの電池電圧が最高電圧まで上昇するとパック電池の充電電流を遮断する。このパック電池は、全ての電池１の過放電と過充電を防止しながら充放電できる。
【００３７】
回路基板４は、リード板３を介して電池１に連結される。電池１はケース２の保持筒６に収納しているので、回路基板４はリード板３を介してケース２に連結される。図２と図３のパック電池は、回路基板４を基板ホルダ５に入れている。リード板３は、接続リード１９を基板ホルダ５に貫通させて、回路基板４に接続される。
【００３８】
図５と図９において、ケース２の両端部に接続しているリード板３’は、２本の電池１に接続している。このリード板３’は、回路基板４を介して、あるいは回路基板４を介することなく、パック電池の出力端子（図示せず）に接続される。充放電を電圧検出回路でコントロールするパック電池は、出力端子と電池１との間にＦＥＴやトランジスター等の半導体スイッチング素子を接続し、このスイッチング素子を電圧検出回路でオンオフに制御して、充放電をコントロールする。
【００３９】
以上のパック電池は、以下のようにして組み立てられる。
(1)  第１のケース２Ａと第２のケース２Ｂの保持筒６に電池１を入れて、図６に示すように、第１のケース２Ａと第２のケース２Ｂを連結する。この状態で、電池１は保持筒６から出ないようにケース２に収納される。
(2)  第１のケース２Ａの貫通孔１６に粘着テープを巻き付けて、電池１をケース２に回転しないように連結する。
(3)  ケース２の開口部８にリード板３を配置して、リード板３を保持筒６に入れている電池１の凸部電極１ａと平面電極１ｂに溶接して接続する。ただし、リード板３は、接続リード１９を回路基板４に接続する状態で電池１に溶接して接続することもできる。
(4)  電池１の上に基板ホルダ５に入れた回路基板４を配置し、リード板３の接続リード１９を回路基板４に接続する。基板ホルダ５の内部に固定している回路基板４は、リード線２０を介してリード板３の接続リード１９の先端を接続している。図のパック電池は、回路基板４にリード線２０を半田付けして連結して、リード線２０をリード板３の接続リード１９に半田付けして連結する。
この状態で、電池１とケース２と回路基板４と基板ホルダ５が互いに連結されて電池組立１０となる。
(5)  その後、図示しないが、電池組立１０を外ケースに入れてパック電池とする。
【図面の簡単な説明】
【００４０】
【図１】従来のパック電池の分解斜視図である。
【図２】本発明の一実施例にかかるパック電池の電池組立の斜視図である。
【図３】図２に示す電池組立の分解斜視図である。
【図４】図２に示す電池組立の基板ホルダを取り除いた状態を示す斜視図である。
【図５】図４に示すケースからリード板を取り外した状態を示す分解斜視図である。
【図６】図５に示すケースの斜視図である。
【図７】図６に示すケースの分解斜視図である。
【図８】図７に示すケースの背面斜視図である。
【図９】図４に示すケースの正面図である。
【図１０】図９に示すケースのＡ−Ａ線断面図である。
【図１１】図７に示す第２のケースの要部拡大斜視図である。
【図１２】図８に示す第１のケースの要部拡大斜視図である。
【符号の説明】
【００４１】
１…電池                １ａ…凸部電極          １ｂ…平面電極
２…ケース              ２Ａ…第１のケース      ２Ｂ…第２のケース
３…リード板            ３’…リード板
４…回路基板
５…基板ホルダ
６…保持筒
７…境界壁
８…開口部
９…ストッパリブ
１０…電池組立
１１…連結フック
１２…連結部
１３…保持筒連結縁
１４…連結溝
１５…連結凸条
１６…貫通孔
１７…Ｕ字スリット
１８…直線スリット
１９…接続リード
２０…リード線
３１…電池
３２…ケース
３３…リード板
３６…保持筒
【図１】
2006100148.tif 000003
【図２】
2006100148.tif 000004
【図３】
2006100148.tif 000005
【図４】
2006100148.tif 000006
【図５】
2006100148.tif 000007
【図６】
2006100148.tif 000008
【図７】
2006100148.tif 000009
【図８】
2006100148.tif 000010
【図９】
2006100148.tif 000011
【図１０】
2006100148.tif 000012
【図１１】
2006100148.tif 000013
【図１２】
2006100148.tif 000014